(57)【特許請求の範囲】
【請求項１】
「電話名解決システム」を含み、
通信中に、電話番号に対応するユーザー名を解析し、又は、ユーザー名に対応する電話番号を解析し、
前記「電話名解決システム」に最初にアクセスして通信接続する、社交の通信システムであって、
前記「電話名解決システム」は、編集可能の「ユーザー名情報」を含み、
各ユーザーによって1つ以上の自己電話番号の前記「ユーザー名情報」が作成され、
前記「ユーザー名情報」は、1つ以上の編集項目を含み、
前記編集項目それぞれは、1つ以上の属性項目を含み、
前記「電話名解決システム」は、ユーザー毎の前記「ユーザー名情報」を収集し、「ユーザー名とユーザー電話番号の比較表」を生成し、
前記「電話名解決システム」は、「ユーザーID管理部」、「ユーザーの電話番号部」、「ユーザー装置番号部」、前記「ユーザー名情報」、「ユーザー名検出部」、前記「ユーザー名とユーザー電話番号の比較表」、「通話管理部」、および「同期部」を含み、
前記「電話名解決システム」は、ユーザーによって入力されるすべての「通信接続要求情報」の項目に基づいて、「通信接続要求情報」の一つ以上の編集可能な「通信接続要求情報」の項目を生成し、
前記「通信接続情報」は、1つ以上の編集可能の「要求ユーザー情報」、1つ以上のあつらえの「通信接続タイプ」、および1つ以上の編集可能の「対象ユーザー情報」を含み、
前記「電話名解決システム」は、要求ユーザーが要求ユーザーの電話番号以外のユーザー定義の「通信接続要求情報」の項目を持っているかを検出し、
要求ユーザーがユーザー定義の「通信接続要求情報」の項目を持っていない場合、電話番号を使って直接通信接続を設定し、
前記「電話名解決システム」は、要求ユーザーが前記「通信接続要求情報」の項目のデフォルト設定を持っているかを検出し、
要求ユーザーがデフォルト設定の項目を持っている場合、前記「通信接続要求情報」の項目のデフォルト設定をロードし、
要求ユーザーがデフォルト設定の項目を持っていない場合、前記「通信接続要求情報」の項目を追加し、要求ユーザーが個別に通信接続要求のために設定し、
通信接続中、前記「通信接続要求情報」の項目が追加されたすべてのユーザーを表示する、
という通信の手順を含む、
社交の通信システム。
【請求項２】
前記「電話名解決システム」は、前記対象ユーザーの名前がすべてデジタル数字であるかを検出し、
前記対象ユーザーの名前がすべてデジタル数字であれば、通信接続を設定するために、前記デジタル数字を使用し、
前記対象ユーザーの名前がすべてデジタル数字というわけではない場合、前記「ユーザー名とユーザー電話番号の比較表」に基づいて、電話番号に対応する対象ユーザー名を解析し、
通信接続を設定するために、対応する電話番号を使用する、
という通信の手順を含む、
請求項１に記載の社交の通信システム。
【請求項３】
前記「要求ユーザー情報」は、要求ユーザー名、要求ユーザーの電話番号、要求ユーザーの写真、要求ユーザーのステータス、要求ユーザーの場所、要求ユーザーの通信状態、要求ユーザーの識別情報の検証情報、要求ユーザーの年齢、要求ユーザーの性別、及び要求ユーザーの前記「ユーザー名情報」で編集可能なすべての項目または選択した項目を含み、
前記「対象ユーザー情報項目」は、対象ユーザー名、対象ユーザーの電話番号、対象ユーザーの写真、対象ユーザーのステータス、対象ユーザーの場所、対象ユーザーの通信状態、対象ユーザーの識別情報の検証情報、対象ユーザーの年齢、対象ユーザーの性別、及び対象ユーザーの前記「ユーザー名情報」で編集可能なすべての項目または選択した項目を含み、
前記「通信接続タイプ」は、電話の呼び出し、メッセージ、ビデオ通話、テキストチャット、ボイスチャット、マルチメディア通信、検索ユーザー、及びビューユーザーの情報を含む、
請求項１に記載の社交の通信システム。
【請求項４】
前記「電話名解決システム」の前記「ユーザーID管理部」は、ユーザーが真のアイデンティティ認証に合格したか失敗したかの情報を保存し、
通信接続を設定している間、要求ユーザーと対象ユーザーが真のアイデンティティ認証に合格したか失敗したかを検出し、
通信接続中、要求ユーザーと対象ユーザーにマークを追加し、要求ユーザーと対象ユーザーが真のアイデンティティ認証に合格したか否かを示す、
請求項１に記載の社交の通信システム。
【請求項５】
ユーザーは自分の各前記「ユーザー名情報」のプライバシー属性を設定することができ、または、前記「ユーザー名情報」の各編集可能な項目のプライバシー属性を個別に、設定することができ、
前記プライバシー属性は、みんなに公開、みんなに閉鎖、接触する人々を選択して公開、ユーザーが設定した条件に合う1以上の人に公開を含む、
請求項１に記載の社交の通信システム。
【請求項６】
前記「通話管理部」は、前記「ユーザー名情報」それぞれに、カスタム各オプションとして、通信開始、通信受け入れ、通信ブロック、通信切断、通信内容の保存を行い、
カスタム各オプションの時間範囲、場所の範囲、タイプのクラス、対象範囲、回数、及び頻度をあつらえ、
前記「通話管理部」は、ブラックリストにドラッグされている又は設定数を超える人数の他のユーザーによって犯罪である報告されているユーザーの通信接続を全て一時停止又は完全にブロックし、
前記「通話管理部」は、さらに自動で警察を呼び、ブラックリストにドラッグされた回数、犯罪であると報告されたこと、及び警察が呼ばれたことを、通信接続が一時停止又は完全にブロックされたユーザーの前記「ユーザーID管理部」に記録する、
請求項１に記載の社交の通信システム。
【請求項７】
場所によって、年齢によって、性別によって、ユーザーID属性によって、ユーザーを検索し、
ユーザーが互いを評価して得点をつける、
請求項１に記載の社交の通信システム。
【請求項８】
前記「電話名解決システム」の前記「同期部」は、
サーバー上の前記「ユーザー名情報」とユーザーの端末装置上の「ユーザー名情報」とが同期し、
サーバー上のユーザー連絡先アドレス帳とユーザーの端末装置上のユーザー連絡先アドレス帳とが同期し、
或るユーザーに公開状態が選択されている1以上の他のユーザーに対して、前記或るユーザーのステータスを同期させ、前記或るユーザーの更新状況を受け入れるように設定する、
請求項１に記載の社交の通信システム。
【請求項９】
前記社交の通信システムは、通信接続情報の標準プロトコルを備え、
前記「要求ユーザー情報」、前記「通信接続タイプ」、及び前記「対象ユーザー」の   「リッチコンテンツ」と 「マルチメディア・コンテンツ」が、
通信ネットワークと通信端末の両方で編集、送信、及び表示中に、標準フォーマットで統一されている、
請求項１に記載の社交の通信システム。
【請求項１０】
前記社交の通信システムは、通信端末上に連絡先アドレス帳ソフトウェアを備え、前記通信端末上にダイヤルアップソフトウェアを備え、前記通信端末上にメッセージソフトウェアを備え、
前記通信端末上の前記連絡先アドレス帳ソフトウェアは、前記通信端末上の前記「ユーザー名情報」を編集、表示、保存するファンクションを備え、
前記通信端末上の前記連絡先アドレス帳ソフトウェア、前記ダイヤルアップソフトウェア、及び前記メッセージソフトウェアは、請求項９に記載の通信接続情報の標準プロトコルをサポートしており、
前記メッセージソフトウェアは、各メッセージの公開範囲の設定と各メッセージの長さの設定をサポートしている、
請求項１に記載の社交の通信システム。
【発明の詳細な説明】
【技術分野】
【０００１】
本発明は、電気通信の通信の分野に属する。
【背景技術】
【０００２】
2007年に,スティーブ・ジョブズはiPhoneを発表し，携帯電話を再発明し，グローバルなモバイル インターネット時代を開始した。スマートフォンの時代には、iMessage，WhatsApp, Line, Talk，微信，ツイッター，等々といった新しいIM（Instant Messenger）ツールを新興する。
【０００３】
それは、これらの新しいIMツール互いに使用するテキストメッセージ（音声メッセージでも）を送信無料または非常に低価格とするためより良いユーザー体験を持っている；伝統のSMSと音声サービスの電気通信業界は大きな影響を与えられる。
【０００４】
通信業界が緊急政策、製品や技術が必要とされ，SMSおよび音声サービスを保存するには，競争力のインターネット企業のOTT(over the top)製品に対する，たとえばWhatsApp、微信等々。
【０００５】
本発明は、新たな社交の通信システムを確立するために、「SMS」と「電話」を再発明することを提案している。
【発明の概要】
【０００６】
発明が解決しようとする技術的課題は、上記従来技術には不十分であり、それは社交の通信システムが提案されている。
【０００７】
一種類社交の通信システムは，「電話名前解決システム」を含む；通信中に、対応する電話番号を電話名前を解析し、対応する電話名前と電話番号を解析する；任意の通信，「電話名前解決システム」最初のアクセスを接続する；
「電話名前解決システム」は，編集可能の「ユーザー名前構成単位」を含む；
各ユーザーは、1つ以上の自己電話番号の「ユーザー名前構成単位」を作成するために；「ユーザー名前構成単位」は，1つ以上の編集項目を含む；各編集項目は，1つ以上の属性項目を含む；
「電話名前解決システム」ごとにユーザーの「ユーザー名前構成単位」を収集し，および「ユーザー名前、ユーザー電話番号の比較表」を生成する；
「電話名前解決システム」は：「ユーザーID管理構成単位」、「ユーザーの電話番号構成単位」、「ユーザー装置番号構成単位」、「ユーザー名前構成単位」、「ユーザー名前を検出構成単位」、「ユーザー名前、ユーザーの電話番号の比較表」、「通話管理構成単位」、および「同期構成単位」を含む。
【０００８】
上記の社交の通信システムにおいて、通信の手順を含む：
「電話名前解決システム」は、「通信接続要求の情報項目」をもたらす；
「通信接続要求の情報項目」は：1つ以上の編集可能の「要求ユーザーの情報項目」、1つ以上の編集可能の「要求接続タイプ項目」、および1つ以上の編集可能の「対象ユーザーの情報項目」を含む；
「電話名前解決システム」は「対象ユーザー」を検出し，対象ユーザーは、すべてのデジタル数字であれば；
対象ユーザーは、すべてのデジタル数字であれば、接続の通信を設定するために、デジタルの数字を使用する；
対象ユーザーがすべてのデジタル数字でない場合、「ユーザー名前、ユーザーの電話番号の比較表」に基づいて、対応する電話番号に対象ユーザー名前を解析する；そして、通信接続をセットアップするために、対応する電話番号を使用する。
【０００９】
上記の社交の通信システムにおいて、通信の手順を含む：
「電話名前解決システム」は、「通信接続要求の情報項目」をもたらす；
「通信接続要求の情報項目」は：1つ以上の編集可能の「要求ユーザーの情報項目」、1つ以上の編集可能の「要求接続タイプ項目」、および1つ以上の編集可能の「対象ユーザーの情報項目」を含む；
「電話名前解決システム」を検出し，要求ユーザーは、要求者の電話番号を除いて、ユーザー定義の「通信接続要求情報」の項目を持っている場合；
要求ユーザーは、アイテム「通信接続要求情報」ユーザー定義がない場合，使用された電話番号は、直接通信接続をセットアップする；
「電話名前解決システム」を検出し，要求ユーザーは、項目「通信接続要求情報」のデフォルト設定を持っている場合；
要求ユーザーは、デフォルトの設定項目がある場合，「通信接続要求情報」の項目をデフォルト設定をロードする；
要求ユーザーが設定項目はデフォルトがない場合，「通信接続要求情報」の項目を追加し、そのユーザーが個別にこの通信の接続要求のために設定する；
通信接続中，表示されるすべてのユーザーは、「通信接続要求情報」の項目を追加する。
【００１０】
上記の社交の通信システムにおいて，「要求ユーザーの情報項目」が含む：要求ユーザー名、要求ユーザーの電話番号、要求ユーザー写真、要求ユーザーのステータス、要求ユーザーの場所、要求ユーザーの通信状態、要求ユーザーの識別情報の検証情報、要求ユーザーの年齢、要求ユーザーの性別、要求ユーザーの「ユーザー名前構成単位」で編集可能なすべての項目または選択したアイテム；
「対象ユーザーの情報項目」が含む：対象ユーザー名、対象ユーザーの電話番号、対象ユーザー写真、対象ユーザーのステータス、対象ユーザーの場所、対象ユーザーの通信状態、対象ユーザーの識別情報の検証情報、対象ユーザーの年齢、対象ユーザーの性別、対象ユーザーの「ユーザー名前構成単位」で編集可能なすべての項目または選択したアイテム；
「要求接続タイプ項目」が含む：電話の呼び出し、メッセージ、ビデオ通話、テキストチャット、ボイスチャット、マルチメディア通信、検索ユーザー、ビューユーザーの情報。
【００１１】
上記の社交の通信システムにおいて，「電話名前解決システム」が含む：「ユーザーID管理構成単位」、保存情報は，ユーザーは、真のアイデンティティ認証，合格か失敗；通信接続中検出要求ユーザーと対象ユーザー真のアイデンティティ認証，合格か失敗；この通信接続中，ユーザーと対象ユーザーを要求するために、マークを追加し、彼らは合格表示または実際のアイデンティティ認証を渡さない。
【００１２】
上記の社交の通信システムにおいて，各ユーザーは自分の[ユーザー名前構成単位]プライバシープロパティを設定することができる，または、それぞれ独自の「ユーザー名前構成単位」の各編集可能な項目別のセットのプライベート属性；
プライバシー属性が含む：みんなに公共の、皆に閉じ、接触人を選択してパブリック、1へのパブリックまたはユーザー設定条件に合う複数の人。
【００１３】
上記の社交の通信システムにおいて，「電話名前解決システム」は、「通話管理構成単位」を含む；「通話管理構成単位」は、カスタム各「ユーザー名前構成単位」これらのオプション：通信を開始、通信を受け入れ、シールド通信、切断通信、通信内容を保存する；
「通話管理構成単位」は、カスタム各オプションの時間範囲、場所の範囲、型クラス、対象範囲、そして数と頻度；
「通話管理構成単位」は、一時停止、または完全にすべての通信がブラックリストにドラッグしているユーザーの接続ブロック；または数のユーザーを設定する上で、他のことで犯罪を報告している；
「通話管理構成単位」は、また，自動で警察を呼び，そして、その時間のレコード番号は、ブラックリストにドラッグする，犯罪を報告すること、およびTと警察呼ばれ、このユーザーに「ユーザーID管理構成単位」だ。
【００１４】
上記の社交の通信システムにおいて，場所によって検索ユーザーの機能を持っている、年齢によって、性によって、ユーザーID属性によって；そして、ユーザーの機能を評価し、それぞれの他のスコアだ。
【００１５】
上記の社交の通信システムにおいて，「電話名前解決システム」は、「同期構成単位」を含む；同期が「ユーザー名構成単位」サーバーとの「ユーザー名構成単位」ユーザーの端末装置に；
サーバー上の同期ユーザー連絡先アドレス帳，ユーザーの連絡先ユーザーの端末装置上のアドレス帳；
一つ以上の他のユーザーに同期ユーザーのステータス，誰このユーザーは、公開状態に選択され，また、このユーザーの更新状況を受け入れるように設定する。
【００１６】
上記の社交の通信システムにおいて，「通信接続要求情報」の標準プロトコルを備え，
要求ユーザーの「リッチコンテンツ」と要求ユーザーの「マルチメディア・コンテンツ」を「標準化；要求接続タイプの「リッチコンテンツ」と要求接続タイプの「マルチメディア・コンテンツ」を「標準化；対象ユーザーの 「リッチコンテンツ」と対象ユーザーの「マルチメディア・コンテンツ」を「標準化；
これら「リッチコンテンツ」と「マルチメディア・コンテンツ」を標準化統一標準フォーマット，編集中に、送信中、及び表示時、通信ネットワークと通信端末に；
上記の社交の通信システムにおいて，通信端末に新しい連絡先アドレス帳のソフトウェアを備え，通信端末の新しいダイヤルアップソフトウェアを備え、通信端末に新しいメッセージソフトウェアを備え；
通信端末に新しいコンタクトアドレス帳ソフトウェア， 編集、表示、保存「ユーザー名構成単位」の機能を備えた；
新しい連絡先アドレス帳ソフトウェア，新しいダイヤルアップソフトウェア，通信端末に新しいメッセージソフトウェア，接続情報を通信の標準プロトコルをサポートしている；
新しいメッセージ・ソフトウェアは、各メッセージのパブリック範囲を設定し、各メッセージの長さを設定サポートしている。
【図面の簡単な説明】
【００１７】
以下の図面の詳細な説明から分野の当業者のために、明確な理解本発明は、上記の利点には、より明らかになるであろうことができる。
【図１】：電話番号に基づく、従来の通信システム
【図２】：「電話名前解決システム」を持っている，この本発明の通信システム
【図３】：サーバーは、「電話の名前解決システム」の配布する
【図４】： 「電話名前解決システム」の構造
【図５】：本発明の社交の通信システムの，ユーザ名と電話番号を解決するための手順
【図６】：本発明の社交の通信システムの，新しい発信者情報表示
【００１８】
［図面の符号の簡単な説明］：
1 フィーチャーフォン
2 スマートフォン
3 固定電話
4 コール機能を持つスマートウォッチ
5 通信ネットワーク
6 「電話名前解決システム」
601 「電話名前解決システム」のルートサーバ
602 「電話名前解決システム」のミラーサーバ
611 「ユーザーID管理構成単位」
612 「ユーザー電話番号構成単位」
613 「ユーザー装置番号構成単位」
614 「ユーザー名前構成単位」
615 「ユーザー名前検出構成単位」
616 「ユーザー名前・ユーザー電話番号の比較表」
617 「電話管理構成単位」
618 「同期構成単位」
701 通信の接続要求を生成する
702 通信は、「ユーザー名前検出構成単位」のリクエストのアクセスを接続する
703 装置ユーザーの名前はすべてのデジタル数字であるかどうかを検出
704 検索対象ユーザーの電話番号
801 要求ユーザーID認証
802 対象ユーザーID認証
901 通信リンクを確立する
1001 ユーザーが電話番号を除く情報項目を追加したかどうかを検出
1002 ユーザーはデフォルト設定を有しているかどうかを検出する
1003 リッチコンテンツのコール情報
【発明を実施するための形態】
【００１９】
図1に示すように、従来の電話呼およびSMSメッセージ、ユーザーは、通話機能部を有している多数の通信端末装置を使用することができ，そのようななどフィーチャーフォン1、スマートフォン2、固定電話3、コール機能4を持っているスマート腕時計、コードレス電話、など。それだけで、お互いの電話番号、または電話番号の短いを通じて、ユーザーの間で呼び出しする。従来の通信システムは、数字以外の文字を認識しない。
【００２０】
通信ネットワーク5、責任セットアップの通信は、様々な技術を介して2つ以上の通信端末装置との間で接続する。
【００２１】
通信ネットワーク5は、様々な技術を持っている，含むがこれらに限定されない：各種の有線電話網と無線電話網，携帯電話ネットワークのような、GSM（登録商標）, EDGE, W-CDMA, CDMA, TDMA, LTE, WiFi, Wi-Max, VoIP, 3G, 4G, 5G，および将来の通信技術とプロトコルのすべての種類。
【００２２】
従来のテキストメッセージや通話、二つの点に基づいて、一つは、人と人との最強の関係チェーンだ，一つは、電話番号のIDシステムだ。
【００２３】
この本発明は、確立「電話名前解決システム」従来の電話番号IDシステム上の。「電話名前解決システム」ている、多属性、マルチレベル、マルチスイッチ；独特の正体に、それがベース。それは、インターネット上のDNS(Domain Name System) に幾分似ている，それは、より包括的な、より体系的だ。DNSドメインネームシステムは、ドメイン名とIPアドレスとの間の一対一の結合マッピングを設定するためだ。
【００２４】
図2は、本発明の通信システムの概略図だ，これは「電話名前解決システム」がある。既存の通信ネットワーク5上に置く、「電話名前解決システム」6がある。
【００２５】
図4に示すように、「電話名前解決システム」6は含む:「ユーザーIDを管理構成単位」611、「ユーザー電話番号構成単位」612、「ユーザー装置番号構成単位」613、「ユーザー名前構成単位」614、「ユーザー名前検出構成単位」615、「ユーザー名前・ユーザー電話番号の比較表」616、「電話管理構成単位」617、および「同期構成単位」618。618へ611は、通信ネットワークのサーバーである，有線ネットワークおよび無線ネットワークを含む通信ネットワーク。
【００２６】
「ユーザーID管理構成単位」611は、ユーザーのアイデンティティ属性の多様性を管理する。ユーザーID属性，含むがこれらに限定されない：ユーザーかどうかを実際の本人認証を渡す，ユーザーの電話番号発行した組織（通信事業会社、卸売業者、小売業者など）；ユーザーの電話番号のタイプ（成人の電話番号など後見の下で未成年者の電話番号、高齢者の電話番号、公共サービスの電話番号、企業の電話番号、政府部門の電話番号、ニュースメディアの電話番号、等）；ユーザー名、年齢、性別、場所、生年月日、現在の居住地、あり婚姻状況、趣味、ユーザー状態，かどうか電話に答えるために喜んで、等々。
【００２７】
一部のユーザー属性，システムが自動的に関連する情報を解決する、ユーザーは、自分では設定できない，または任意の変更。しかし、ユーザーは、公開またはプライバシーを選択することができ，表示または非表示、にどのような人々が公共選択し、人々がに閉じたものを選び。ユーザーが自分のIDカードを使用すると、通信会社から電話番号を申請し、「電話名前解決システム」に自動的に解決し、生成する：ユーザーの本名、年齢、性別、生年月日、出生地、現在の居住地、デフォルトのアバターなど。ユーザーによってどの本名、年齢、性別などを変更することはできない（新しいIDカードを提供する場合には、変更することができる）。ユーザーなどは、現在の居住地は、デフォルトのアバターなどの変更を行うことができる。
【００２８】
個人認証は、これらの資格情報を使用する：IDカード、学生証、労働許可証、運転免許証等々。企業は、政府は、学校は、組織の認証は、これらの資格情報を使用する：ビジネスライセンス、組織コード証明書、公印など。だから、固定電話、固定電話番号または携帯電話番号かどうか、各電話番号の意志が身元認証マークが付いている、またはIDの認証マークが付いていない。消費者が電話を受けたとき、彼は信頼できるか信頼できるではない、消費者は、電話を嫌がらせテキストメッセージ、不正な電話を嫌がらせ、詐欺を回避するすべての種類の中から離れて滞在することができ、この携帯電話を知っている。
【００２９】
「ユーザーID管理構成単位」611、各ユーザーに配布する1以上の「ユーザー電話番号構成単位」612、各「ユーザー電話番号構成単位」612アサイン一つ以上の「ユーザー装置番号構成単位」613。あるユーザーの電話番号は、異なる通信端末装置に使用することができる。「ユーザー装置番号構成単位」にも割り当てる1つ以上の「ユーザー電話番号構成単位」。ユーザーは、同一の通信端末装置に一つ以上の電話番号を使用することができ，デュアルカードデュアルスタンバイ。「ユーザー装置番号構成単位」613を含むがこれらに限定されない：IMEI, SIM, 装置モデル、機器のシリアル番号、無線LANのアドレス、ブルートゥースアドレス等。
【００３０】
「ユーザーID管理構成単位」611は，一つ以上の「ユーザー名前構成単位」614を備える，ユーザーの編集を受け入れ（削除、変更、新しい入力を作成、など）。「ユーザーID管理構成単位」 611は, また、ユーザー名を管理し、ログインパスワード（パスワードも、生体認証技術のいずれかのタイプにすることができる，このような等指紋識別、として）。「電話名前解決システム」は、含まれており、すべてのユーザーのデータを管理し，電話名前解決サービスを使用するユーザーを含み、電話名前解決サービスを使用していない者。電話名前解決サービスを使用して、各ユーザー，「ユーザーID管理構成単位」から611ユーザー名を付与される。ユーザーがログインパスワードを作成する，ユーザーは、このユーザー名を使用し、「電話名前解決システム」の「ユーザー名前構成単位」614にパスワードログインをログインすることができる。「ユーザー名前構成単位」 614は、また、個人用のホーム・ページを呼び出すことができ、または個人の電話名前解決のホーム・ページ。これは、「ユーザー名前構成単位ユーチューブ」614，ユーザーが直接アクセスし、個人用のホーム・ページを編集することができる，「電話名前解決システム」のサーバー上(the cloud)；そしてその後、クラウドからユーザーの通信端末装置に同期する。ユーザーは、ユーザーの通信端末装置に編集することができ(the terminal)；そして、「電話名前解決システム」のサーバーに同期する。
【００３１】
ユーザーログイン「ユーザー名前構成単位」614後に（自分のユーザー名を使用して、ログインパスワード），編集可能な複数の項目を含む、「ユーザー名前構成単位」614は、ユーザーの編集を受け入れる。ユーザーは、一つまたは「ユーザー名前構成単位」614を複数設定することができる，それぞれに適した異なる機会、そして、異なる状況。それぞれが異なったカスタム属性を持っている，そのようななどの名前、ニックネーム、アバター、趣味、会社、職業、スキル、など。各「ユーザー名前構成単位」，フェイスブックの個人的なホーム・ページに似ている；または他のソーシャルネットワーキングのプロフィールページ。ユーザーが編集可能な各項目のパブリックプロパティを設定することができ、例えば：みんなに公共の、皆に閉鎖し、そして特定の人への公共，または特定の複数の人物、このようなアドレス帳の人のように、人のユーザーfollow，人はfollowingユーザー，ユーザー設定の友人、ユーザーの家族、ユーザーは、親しい友人を設定する，ユーザー設定学友など。全体「ユーザー名前構成単位」614は，同じパスワードを共有することができ、または、各「ユーザー名前構成単位」614は異なるパスワードを持っている。各「ユーザー名前構成単位」614は，個人用のホーム・ページと独立した、仮想アイデンティティに似ている。
【００３２】
ユーザーカスタム設定，各「ユーザー名前構成単位」614，対応し、リンクされた電話番号。ユーザーは、自分自身の電話番号にリンクすることができ，他の人の電話番号にリンクすることはできない。
【００３３】
「ユーザーID管理構成単位」611は, によるとユーザー入力，個人のサブセット「ユーザー名前・ユーザー電話番号の比較表」を生成する；一緒に追加するすべての個人的なサブセットは「ユーザー名前・ユーザー電話番号の比較表」全集616だ。電話名前解決サービスを使用しないユーザー、「ユーザー名・ユーザー電話番号の比較表」のこのユーザーの個人的なサブセットで、このユーザーの電話番号にリンクされているこのユーザーのユーザー名がヌルだ。
【００３４】
ユーザーが設定したい場合には、通信は、1つまたは複数の他のユーザーとの接続、「電話名前解決システム」6の最初の接続。「電話名前解決システム」6は，「通信接続要求情報」の一つ以上の編集可能な項目を生成する。
【００３５】
図5に示すように、手順701は、通信接続要求を生成する，によるとユーザーによるすべての接続要求情報項目入力。「通信接続要求情報」の項目は、要求ユーザーの情報項目を含み，要求接続の接続タイプを含み、装置ユーザーの情報項目を含む。
【００３６】
通信要求の接続タイプは，挙げられるが、これらに限定されない：電話の呼び出し、メッセージ、ビューユーザーの情報、ビューユーザーの個人用のホーム・ページ、ビデオ通話、テキストチャット、ボイスチャット、マルチメディアファイル転送そしてシェア、電子メール、ユーザー名によってユーザーを検索し、場所によってユーザーを検索し、年齢や性別によってユーザーを検索し，等々。
【００３７】
「要求ユーザーの情報」は，挙げられるが、これらに限定されない：要求ユーザーの名前、要求ユーザーの電話番号、要求ユーザーの写真、要求ユーザーのステータス、要求ユーザーの場所、要求ユーザーの通信状態、要求ユーザーの身元確認情報、要求ユーザーの年齢、要求ユーザーの性別、そして、要求ユーザーの「ユーザー名前構成単位」のすべての編集可能な項目や選択項目。
【００３８】
「対象ユーザーの情報」は，挙げられるが、これらに限定されない：対象ユーザーの名前、対象ユーザーの電話番号、対象ユーザーの写真、対象ユーザーのステータス、対象ユーザーの場所、対象ユーザーの通信状態、対象ユーザーの身元確認情報、対象ユーザーの年齢、対象ユーザーの性別、そして、対象ユーザーの「ユーザー名前構成単位」のすべての編集可能な項目や選択項目。
【００３９】
手順702、通信はに接続要求をアクセスする「ユーザー名前検出構成単位」615。手順703、「ユーザー名前検出構成単位」 615, 装置ユーザーは、すべてのデジタル数字であるかどうかを検出する。装置ユーザーがすべてのデジタル数字である場合、手順901に進む。手順901は、既存への通信ネットワーク5をアクセスだ。直接手順901に手順703から，従来の電話を既存のと同様だ。手順703では、検出対象のユーザーがすべてのデジタル数字でない場合は、手順704に進む。によるとユーザーの名前，検索「ユーザー名前・ユーザー電話番号の比較表」616，対象ユーザーの電話番号を見つける。その後、対象ユーザーの電話番号による通信を接続し設定する。手順704の後、手順901に進む。
【００４０】
「ユーザー名前検出構成単位」615は, 検出要求ユーザーと装置・ユーザー，かどうか、identityの認証を渡す渡するか；そして実際のアイデンティティ認証の認証タイプ；「要求ユーザーの情報」と「対象ユーチューブーザーの情報」により。詳細な手順は、「ユーザー名前検出構成単位」615，「ユーザーID管理構成単位」 611をするためにアイデンティティ認証要求を送信する。アイデンティティ認証要求は，要求ユーザーのユーザー名を含み、または要求ユーザーの電話番号；対象ユーザーのユーザー名を含み、または対象ユーザーの電話番号。そして、「ユーザーID管理構成単位」611は、検証結果をフィードバックする。
【００４１】
手順801で示すように、要求ユーザー渡された実際の身元認証を検出した場合、要求ユーザーをするためにマークを追加し，この通信中；マークは、彼は本当のアイデンティティ認証に合格したことを示している。要求ユーザーを検出した場合、実際のアイデンティティ認証に合格していない，ユーザーを要求するために、別のマークを追加し、この通信中；マークは、彼が本当のアイデンティティ認証に合格していないことを示す。
【００４２】
手順802で示すように、対象ユーザー渡された実際の身元認証を検出した場合、対象ユーザーをするためにマークを追加し，この通信中；マークは、彼は本当のアイデンティティ認証に合格したことを示している。対象ユーザーを検出した場合、実際のアイデンティティ認証に合格していない，対象ユーザーをするために、別のマークを追加し、この通信中；マークは、彼が本当のアイデンティティ認証に合格していないことを示す。
【００４３】
どのように通信接続が確立される前に、双方は相手が正体認証を渡すかどうかを確認することができる。要求ユーザーのために、対象ユーザーの信用レベルを知っている、このコミュニケーションのスタイルを決定するのに役立つ。対象ユーザーのために、要求ユーザーの信用レベルを知っている、この通信の接続をオンにするかどうかを決定するのに役立つ。通信後にオンラインに設定されて接続し、双方が知っているので、他の当事者かどうか正体認証を渡す。これは、双方は、この通信の内容とスタイルを決めるのに役立ち，互いの信用レベルに応じ。これは、電話詐欺や社会的詐欺の多くを防ぐことができる，ユーザーはより多くの保護を持っている。
【００４４】
図5に示すように、点線で囲んだ手順801及び手順802は、いくつかの意味がある。一つの意味は、効率性とコストのためである，この2つのステップを省略することができる。ユーザーの後、彼の最初の完全な本当の身元認証を完了し、全体「ユーザー名前構成単位」この正体身元によって作成、正体認証マークを取得する。もちろん、図5のように、最も安全な方法は、ある：すべての通信は、すべての認証を検出し接続する。
【００４５】
他の意味である，通信会社は、唯一の本当の身元認証を通過したユーザーに、これらの機能を提供している；これらの機能に：ユーザー名に基づいてコール，場所に基づいて、検索ユーザー，年齢に基づいて、検索ユーザー，性別に基づいて、検索ユーザー，等々。実名身元確認に合格しないインセンティブユーザー、実名本人確認の手順を完了する。
【００４６】
図5に示すように，手順703、装置ユーザーは、すべてのデジタル数字であるかどうかを検出する。装置ユーザーがすべてのデジタル数字である場合、デジタル数字を使用，通信ネットワーク5を既存への直接アクセス。それは、「電話名前解決システム」による設定、命名規則上のベースだ。命名規則は、ユーザー名を策定、少なくとも一つの数字以外の文字が含まれている必要がある。このような命名規則では、操作しやすい簡単だ。命名規則は、ユーザーが、純粋なデジタル数値の名前を作成することを可能にする場合は、システムは自動的に、すべての現在既存の国際および国内の電話番号を検出し、短い番号に電話する，有線および無線電話のすべての種類だ。現存する唯一のグローバルな電話番号のシステムと競合しない数字の組み合わせは、使用を許可すること。この命名規則の下では、追加の手順があり、それは既存のグローバル電話番号システムのエンコード規則に属している場合、純粋なデジタル数値の名前を検出する。そうである場合、手順901に入る。ない場合は、手順704を入力してください。
【００４７】
本発明の社交の通信システムは，新しい発信者表示プロトコルのタイプを含む。伝統的な発信者ID、発信者ID表示のみ、ユーザー電話装置のアドレス帳には、この電話番号を前に保存した場合，ユーザー電話装置は、相当に保存された名前が表示される。ユーザーのアドレス帳は、前にこの電話番号を保存しない場合は、ユーザー電話装置は、数字のみが表示される。
【００４８】
新しい発信者の表示プロトコル、発信者の着信コールを許可し、Rich-Contentは、任意の文字を含む表示；や写真、音声、動画などのマルチメディアコンテンツ。新しい発信者の表示プロトコル、呼ばれることができる：「通信接続要求情報標準プロトコル」。プロトコルは、統一規格Rich-Content形式とMultimedia-Content形式をサポート，通信ネットワークと通信端末の統一標準フォーマット編集、転送、および表示をサポートしている。Rich-Contentは，挙げられる：「要求ユーザーの情報」のRich-Content,「要求接続タイプ」のRich-Content,及び「対象ユーザーの情報」のRich-Content；Multimedia-Contentは，挙げられる：「要求ユーザーの情報」のMultimedia-Content,「要求接続タイプ」のMultimedia-Content, 及び「対象ユーザーの情報」のMultimedia-Content。
【００４９】
本発明の社交の通信システムは，通信端末に新しい連絡先アドレス帳のソフトウェアを備え、通信端末の新しいダイヤルアップソフトウェアを備え、通信端末に新しいメッセージソフトウェアを備える。通信端末の新しい連絡先のアドレス帳ソフトウェア、関数を含み、サポート編集、表示、保存「ユーザー名前構成単位」 614通信端末に。新しいダイヤルアップ接続ソフトウェア、通信端末に新しいメッセージソフトウェア，サポート「通信接続要求情報標準プロトコル」。
【００５０】
図6に示すように、ユーザーが設定する必要がある場合は、通信は、1つまたは複数の他のユーザーと接続し、上記の手順701、手順1001要求者の情報項目を検出する。依頼者の情報項目は、要求者の電話番号を除いて、編集可能な項目が含まれている場合。また、リクエストユーザーは、ユーザー定義のコミュニケーションの項目が情報を必要とする追加しているかどうかを検出するという意味する。
【００５１】
要求ユーザーはユーザー定義の追加アイテムを持っていない場合は、図5の手順を続ける：702、703、704、801、802；そしてその後、手順901へ。
【００５２】
要求ユーザーはユーザー定義の通信要求項目情報追加アイテムを持っている場合は、手順1002を入力してください。検出要求ユーザーのユーザー定義アイテム追加し、要求ユーザーは、追加されたアイテムのデフォルト設定を有する場合。デフォルト設定されている場合は、追加された項目のデフォルト設定をロードし；そして、通信接続要求の表示内容には、このデフォルト設定を追加（通常は、発信者の電話着信の表示内容）。要求ユーザーがデフォルト設定を使用していない場合、代わりに、接続この通信の設定を個別に行いる；接続要求を通信の表示内容には、この個別に設定アイテムを追加する。手順1003、デフォルトの設定項目を追加する，または個別設定のアイテム、通信接続要求の表示内容に追加（発信者の着信コールの情報表示）。通信接続要求の上記の情報を表示するためにコンテンツを追加することに加えて、その他は通常の手順702、703、704、801、802に従ってください，上述内容したように。
【００５３】
以下は、発明者のための詳細な例であり、「新しいメッセージ」や「新しい電話」のシナリオを説明する。私は、通信事業会社からの携帯電話番号に申請する、私のアイデンティティのIDカードを使用する；および携帯電話番号「18800006666」を取得する。私は自分のIDカードを使用し，そう通信事業会社は、私の本当の身元認証ユーザーを登録，「ユーザーID管理構成単位」611中に。通信事業会社は私にログインユーザー名を与え（通常、ユーザーの携帯電話番号）；そして、私は自分のログインパスワードを設定する。私は自分のログインユーザー名と私のログインパスワードを使用し、ログイン「ユーザー名前構成単位」 614。私は4つの「ユーザー名前構成単位」を作成する，表1〜表4に示すように、私の携帯電話番号「18800006666」にこれらの4つのユーザー名をリンクした。各「ユーザー名前構成単位」中は，私はすべての新しい編集可能なアイテムを作成することができ、各編集可能な項目にpublic属性を設定する。
【００５４】
【表１】
0006312795.tif 000002
【表２】
0006312795.tif 000003
【表３】
0006312795.tif 000004
【表４】
0006312795.tif 000005
【００５５】
「ユーザーID管理構成単位」611, 私の個人的「ユーザー名前・ユーザー電話番号の比較表」なサブセットを生成，私の作成ユーザー名前とリンクされた電話番号を設定に基づく。表5に示す。
【００５６】
【表５】
0006312795.tif 000006
【００５７】
もちろん、表1〜表4に加えて、私は新しい任意の数「ユーザー名前構成単位」を作成することができる。私はまた、「ユーザー名前構成単位」を削除することができる，このような表1〜表4のように。私はまた、作成、編集、および削除することができる，表1〜表4中で任意の編集可能な項目。「ユーザーID管理構成単位」611，自動更新表5中個人の「ユーザー名前・ユーザー電話番号の比較表」サブセット，私の「ユーザー名前構成単位」614操作に応じて。
【００５８】
私は両親や他の親戚や友人と呼び出すとき場合，ダイヤル操作で、要求ユーザー情報項目が表示され，私はデフォルトのユーザー名前「姜洪明」を選択，それ表1「姜洪明」中で情報：ユーザー名、電話番号、アバター、ステータス。この電話の呼び出し、最初接続「電話名前解決システム」。システムは、このコール要求情報のオプションをチェックして，手順1001および手順1002を通過し；発信者情報の内容表示は、表1の項目を追加し、手順1003で示し；その後、私の父の電話番号を呼び出する。ときに私の父は、電話呼び出し音を聞いて、彼の携帯電話の画面上で、それ表示私の最新生活の写真，私の名前「姜洪明」，私の電話番号，最新の状態北京出張。この呼び出しの後、私の父は、彼の携帯電話に，これらの情報を保存する指示する；彼は、入力する必要はない。彼はデフォルトの備考名前変更する「息子さん」。もちろん、私は私の父とのビデオ通話を選択することができ、またはテキストメッセージを送信する。
【００５９】
私は北京出張，業界会議に出席。ランチでは、業界内で多くの新しい友人に会う。私は、新しい友人の電話番号を尋ねた，私は番号をダイヤルする携帯電話を使用する。ダイヤル呼び出す間に，私は彼に私の「ユーザー名前構成単位」「惠道会社 姜洪明」公開した。ときに彼の電話の呼び出し音は、彼の携帯電話の画面、表2の内容が表示される。新しい友人は保存をクリックし、これらの情報は、自動的に彼の携帯電話に保存する，彼は文字で入力文字を必要としない。彼が終わった後、彼は自分の携帯電話をバックダイヤルすることができる，またはテキストメッセージを返信する。そして彼は公開彼の職業「ユーザー名前構成単位」し、彼のダイヤルまたはメッセージング中に。その後、彼の名前、会社名、役職、会社のウェブ、等々，自動的に自分の携帯電話の発信者またはテキストメッセージに表示され；私は[保存]をクリックする必要がある。人々はお互い知っている場合には、互いに電話番号を交換し、もはや文字で携帯電話の文字の入力を必要としない；名刺交換取り替えた。
【００６０】
「電話名前解決システム」6は，「電話管理構成単位」617を備える。「電話管理構成単位」617は，configure電話のオプションがある。対各「ユーザー名前構成単位」 614, ユーザは、電話機を閉じたかどうかを設定し、ライン時間オフする；スタンバイ、および待機時間；プッシュユーザステータスかどうか；等々。対各「ユーザー名前構成単位」 614, 「電話管理構成単位」617これらの5つのオプションを設定できる：通信接続のセットアップ、通信接続を受け入れ、シールド通信接続、通信の接続切断、通信内容を保存する；各オプションの時間範囲、位置範囲、種類の範囲、および目標範囲。昼食後、午後のセッションが始まった、私が「会議」に自分の携帯電話の状態を設定した。この会議は比較的高いレベル、私は、ハイレベル会合に設定；これは私のデフォルトのオプションは，唯一の私の家族はで呼び入。この場合、「電話名前解決システム」，会議で私のステータス，自動プッシュ私は公開状態を選択の電話番号へ。例えば、私は、家族、同僚、クラスメートへの公開状態を選択する。彼ら電話での連絡先のアドレス帳、自動的に私の状態はハイレベル会合にある表示、私の名前を表示する。この場合、人ば私は公開状態を選択していない，電話してね、「電話名前解決システム」 自動プロンプト、私は「非接触状態」で（接続できない），2時間後に再び電話してください。唯一の私の会議の後、彼らはで呼び出すことができる。
【００６１】
もちろん、会議の後、私は期間の不在着信の詳細が送信され、返信の優先順位を選択する。私は会後、自分の携帯電話通常の状態を設定する。そして、「電話名前解決システム」自動的に、テキストメッセージを送信する，お知らせ会議中私を呼び出す，私は「接触状態」で現在午前（接続することができる）。
【００６２】
バック夜にホテルに向かう途中で、私は、グループチャットを立ち上げ、最近、いくつかの大学の同級生がパーティーをしたいと考えている。私が使う「ユーザー名前構成単位」「七つ」，表3の内容，グループチャットは私のアドレス帳のクラスメートに招待送る。「七つ」は、私が大学にいたときにニックネームだ。私のクラスメートは、招待受け入れ、グループチャットに参加する，テキストチャット、アップロード最近の写真、音声チャット、ビデオチャット。この時、私たちは同級生「李華」は、接触を失ったことを後悔し、我々はすべての彼に連絡することはできない。彼の電話番号が変更されたため。
【００６３】
私は、本当のアイデンティティがユーザーを認証しよ，私は機能を持っている：名前で新しいユーザーを検索。私は、検索ユーザーボタンをクリックする，私のアドレス帳ソフトウェアインチ。図5に示すように、手順701；セットアップの通信が検索新しいユーザーの要求を接続する。「電話名前解決システム」6は，最初に私のユーザタイプを検出し、私はこの機能制限がある場合。私は、このサービスを持っていない場合、私は、このサービスの限界を持っている私に思い出させる。一般的には、このサービスは非正体認証されたユーザーのためにオフになっている。私は、本当の身元認証されたユーザーだ私は、このサービスを持っている。それプロンプトI入力検索内容。私入力「李華」は、検索する，システムフィードバック、「李華」という名前の200以上もある。私は北京で「李華」を知っているので、私は場所によって検索オプションを追加する。私入力「北京」、システムのフィードバック、北京で「李華」を"という名前の18ユーザーがいる。もし彼の「ユーザー名前構成単位」の「李華」のパブリック・ホーム・ページに公共のアバターを設定した場合は，私は直接肖像画によって彼を見つけることができる。彼は彼の肖像画パブリックない場合は、しかし、公共の彼の年齢や他のアイテムを持っている。私はさらに、年齢によって焦点を絞ることができる。名前を除いて、彼の公共何も、もし、私は大量のメッセージ通信接続要求を送信することができ、名前の「李華」これらすべての18のユーザーに。メッセージは、「私は姜洪明，XX大学XX学年，あなたは、このクラスではあるか？」。そして、私の名前と依頼者の情報としての私のアバターを使用して、この大量のメッセージ通信のための要求を接続してください。李華メッセージを見た，私に答える。そうパーティーは、すべての人が参加する。
【００６４】
「李華」彼の検索のプライバシーオプションを設定することができ、「ユーザー名前構成単位」614中，または「ユーザー名前構成単位」614中。李華は、ユーザーが名前を介して彼を検索することができる設定することができる李華。またはセットのみ正体認証されたユーザーは、彼を検索することができる。または唯一の場所のユーザーを設定し、年齢のユーザーを設定し、他の設定条件は彼を検索することができる。または誰もが彼を検索することができない。彼は誰もが彼を検索することができない設定されている場合、その後、私は彼を見つけることができない。
【００６５】
「電話管理構成単位」617は，設定各「ユーザー名前構成単位」614の呼び出しのオプション。設定呼び出しの時間，でコールを受け入れるの時間を設定する，発信者を受け入れる設定、メッセージを受け入れるの時間を設定する，メッセージを送信するユーザーを受け入れる構成し、メッセージは時間を送信設定、メッセージを送るの保存時間を設定する。また、設定各「ユーザー名前構成単位」614，オンラインまたはオフライン；時間や忙しいがある；このユーザー名をアウトログイン。また、他のユーザーに設定することができ：シールド、ブラックリストに追加する，レポート警察。
【００６６】
新しいメッセージングシステム、各メッセージがすぐに送信され設定することができる,または、1時間後に送り出する；または送信するために特定の時間を設定する。また設定することができ、分後に送出内のメッセージを削除する，または1週間後に削除する。同僚は最近、風邪を引い，私は、音声メッセージを送信し:「薬を服用し、より多くの水を飲むことを覚えている」。次の3日間で、彼に送って、それを自動的に設定，毎朝8時、毎晩8時。
【００６７】
「電話名前解決システム」6は，また、地理的位置に基づいて、新しいユーザーを検索することができる。夕食後、私は近くのコーヒーショップに行ってきた。優雅な美しさの女の子が、私のテーブルの隣に座る。私も気に入った詩集を読んで。私は、携帯電話を取り出し、近くのユーザーを検索する。そのうちの一つは、「舞の風」，公開の肖像画は、「古代の女性」だ。28歳、詩、写真、旅行を愛し、そして、正体認証マークが付いている。私は私の「ユーザー名前構成単位」の「時間瀑布」選択し，「舞の風」にメッセージを送信する。私達の両方は、パブリックユーザ名の公開電話番号が設定されていないので。だから、「電話名前解決システム」自動隠された私たちの電話番号、ちょうど私たちのニックネームを使用して、チャットを開始した。
【００６８】
図5は、処理701に示すように、私は、ニックネーム「時間瀑布」を使用，「舞の風」の装置ユーザーへ，メッセージ通信要求を開始した。手順702を介して通信要求、「ユーザー名前検出構成単位」615は，「舞の風」を検出、すべてのデジタル数字ではない。その後、手順704入力し、「舞の風」の対応の電話番号をで「ユーザー名前・ユーザー電話番号の比較表」616中を見つけ；そして、対応の電話番号を使用し，通信ネットワークにアクセスし、この通信接続要求を完了する。
【００６９】
「ユーザー名前検出構成単位」615は，身元認証要求を送信し、「ユーザーID管理構成単位」611には、手順801で示すように、検証要求ユーザー「時間瀑布」正体の認証を通過した、その後、「瀑布時間」する正体認証マークを追加し，この通信で接続する。手順802で示すように、検証対象ユーザー「舞の風」を通過した本当のアイデンティティ認証、その後、「舞の風」する正体認証マークを追加し、この通信で接続する。
【００７０】
「舞の風」は、見知らぬ人からの3つのメッセージを受け取った。一つは、名前の「リッチ」からのもので、ハンサムなアバター、および典型的な金持ちの生活の写真を持っている。しかし、本当の身元認証マークがない。それは人の電話番号は、実際のアイデンティティ認証をパスしていないだ。彼女は直接無責任な人々のこの種を無視して選択した。
【００７１】
一つは、名前の「蔡」からのもので、「蔡」は正体認証マークが付いている。「蔡」に対して，「舞の風」に非常に良い印象を持っている。「蔡」彼女は夜に映画を見に行く招待。彼女は「蔡」をお読み呼び出し、「電話名前解決システム」は、自動解決「蔡」の電話番号，ダイヤルアップリンクの電話番号を。「舞の風」は、通話中に自分の電話番号を尋ねた。そして、「舞の風」尋ねた電話番号をダイヤルし、声が同じ人からではなく、彼女は電話を切った。誰かが夜に彼女に会いたい、別の認証済みの電話番号を使用する。彼女は「蔡」と尋ねた電話番号がブラックリストに追加する。次に、どのような使用ニックネーム「蔡」、または「蔡」の電話番号を使用するか、別の電話番号を尋ね使用し、「舞の風」、それ以上に連絡することはできない。これらの3つはすべて「電話名前解決システム」に自動でブロックされる。
【００７２】
ユーザーがブラックリストするために追加された場合は、または、警察に報告され，正体認証されたユーザーの数を設定することにより、「電話名前解決システム」6は，設定した時間のために、このユーザーの電話番号の通信を停止し、または永久に無効になっている。人が保持している場合を除き、関連する文書が再びオープンに適用される。同時に、この人の「ユーザーID管理構成単位」 611中でを記録、ブラックリストするために添加することの数，またはレ報告の数。この人は、任意の通信は、任意のユーザーとの接続を確立する，手順801または手順802、ブラックリストに追加されるの番号を追加するか、または報告の数、「通信接続要求情報」に追加するか，手順1003など。でも、ユーザーが正体認証されたユーザーの数を設定することによって報告され、「電話名前解決システム」6は，自動アラームコール警察。例えば、以上3つの実アイデンティティ認証されたユーザーが存在する場合、ブラックリストに載せる人を追加し、システムは、一週間、この人の電話番号は無効になっている。以上の5人が人を報告した場合は、システムは自動的にアラームとコール警察。
【００７３】
その後、私はメッセージを送信する「舞の風」に、「私も詩が好き」。彼女は、私を見て，彼女は、私に「蔡」のまだ少しの怒りを見て：「あなたの電話番号」。私は、彼女を与えた，彼女はダイヤルアップ18800006666を、私の携帯電話が鳴った。彼女は、ハングアップ、ダイヤルアップ「時間瀑布」，私の携帯電話が再び鳴った。彼女は微笑んで、私たちは良い友達になった。
【００７４】
「電話名前解決システム」6は，また、グループ機能を備え，といった，友人グループ、職業グループ、同級生グループ、等々。
【００７５】
最近、モバイル決済は、非常に人気がある。私は職業グループボタンをクリックする，私の連絡先アドレス帳のソフトウェアで、職業グループは、公開私の本当の名前を必要とする参加，会社、役職、技能、等々。私は私の「ユーザー名前構成単位」の「惠道会社 姜洪明」提出，表2の内容。承認後、私は職業グループに参加した。私は、入力「モバイル決済」検索，それはすべての関係者が表示される。私は、入力されたキーワード「銀聯」または「PayPal」、関係者を検索する。私は、彼らに自己紹介メッセージを送信，友人を追加する。彼らが興味を持っている場合は、私の友人の要求を受け入れ，私は彼に連絡することができ、メッセージ、音声、または電話。他方側は興味がない場合、友人として私を追加しないで，その後、私は彼に連絡することができない。職業グループサービス，お金が必要な場合がある。
【００７６】
仕事と生活のバランスをとるためには、多くの人は、2つの電話番号を使用，仕事のための1つの、生活のための1つ。しかし、実際には、職場の電話番号は、まだそれがオンにいつでも乱れること。私は1つの電話番号で、2つの電話番号を使用ではなかった。私は仕事のための「ユーザー名前構成単位」の「惠道会社姜洪明」を使用する。他の人々は、私の電話番号を知っている必要はない，彼らは直接ダイヤルアップすることができるまたはメッセージに「惠道会社姜洪明」を。私は、「電話管理構成単位」617に設定する，自動アウトログイン「惠道会社姜洪明」，毎晩8時以降。夜の間に関係する通信要求に翌日ハンドル。私はまた、唯一のいくつかの特定の人は毎晩8時以降に私に連絡することができる設定する。そして、他の人の通信要求を遮蔽する。このように、多くの人が仕事と生活のために買った2の携帯電話に持っていない。またはデュアルSIMカードデュアルスタンバイ携帯電話を購入し、コストを増大させる。通信事業会社については、また、二重のカード発行費用、管理コストを削減する。
【００７７】
「電話名前解決システム」は，あなたは、複数の結合属性を持つことができ、複数の結合社会的関係、複数の結合ニックネーム。各着信やメッセージ、「電話名前解決システム」は，要求ユーザーの公開属性が表示される。「電話名前解決システム」は，自動リアルタイムは、個人的なページを生成，両側リアルタイム通信ユーザー情報に基づいて、「新しいコール」と「新規メッセージ」の両サイドのリアルタイムスイッチ属性に基づいて。これは、などのFacebook、WhatsApp、微信、ツイッター等、より先進な社会的コミュニケーションシステムだ。人それぞれ、たびに、あなたの個人ページが異なって表示される。すべての通信は、私が受け入れる接続要求を，相手側の要求ユーザー情報が含まれ、そして、要求する私の「ユーザー名前構成単位」，どの通信タイプ他の側に設定する。すべてのメッセージは、すべての電話は、私が受け取った，本当の名前、会社、役職を表示キャリアの友人することができる；情報がない，電話番号のみ；固定電話番号が税務局を表示することができる；「舞の風」表示見知らぬ人をすることができる。誰かどうかは、メッセージを送信したり、自分の電話番号18800006666にダイヤルアップ，またはへ「姜洪明」，またはへ「惠道会社 姜洪明」，またはへ「七つ」，またはへ「時間瀑布」，私の電話番号へのすべてのリアルタイム。（「電話管理構成単位」617のカスタム設定を除く）
【００７８】
職業グループと同級生グループは、技能項目があり、他の人は、これらの技能項目で得点することができる。誰もが自分の技能項目を提出することができ、このようなプログラミング、数学、英語、マニュアル、絵画、ピアノ、スポーツ、ボランティア活動などのように。各専門項目や各個人の技能項目、そのような賞賛または負など定性的評価があり、またはスコアや値などの量の評価がある。
【００７９】
「新規メッセージ」の内容、任意のパブリック範囲に設定する、カスタム任意の長さにする。新しいメッセージがより長い300の単語である場合には，公開の範囲は、すべてのユーザーに公開する設定する，それは、ブログに似ている。例えば、表1のラングメッセージ。新しいメッセージが300未満の単語である場合には、公開の範囲は、すべてのユーザーに公開する設定する，それは、Twitterに似ている。新しいメッセージパブリック範囲は、いくつかの特定のユーザーに公開する設定した場合、それは大量のメッセージに似ている。
【００８０】
「同期構成単位」618は，同期「ユーザー名前構成単位」614サーバーでと「ユーザー名前構成単位」614ユーザーの通信端末装置で。同期ユーザーの連絡先アドレス帳サーバーでとユーザーの連絡先アドレス帳ユーザーの通信端末装置で。ユーザーの状態を同期，別の1つ以上のユーザーに、ユーザーが公共の状態を選択し、そして、誰もユーザーのステータスの更新を受け入れる。
【００８１】
図3に示すように、効率および速度を向上させるために、「電話名前解決システム」は，複数のサーバーを持つことができ、1つ以上のルートサーバー601を含む，複数のミラーサーバ602。
【００８２】
本発明の「電話名前解決システム」は，「電話番号名前解決システム」とも呼ばれることができる；「電話名前番号解決システム」とも呼ばれることができる；「電話名前・電話番号解決システム」とも呼ばれることができる；「電話番号パーソナルドメインネームシステム」とも呼ばれることができる。本発明の「ユーザー名前構成単位」614 は，また、「ユーザー電話名前構成単位」と呼ぶことができる。
【００８３】
DNSドメインネームシステムは、インターネットのコア機能のいずれかである場合、インターネットの重要な基礎となるものだ。本発明の「電話名前解決システム」は，次世代通信網のコア機能の一つであり、社会的コミュニケーションネットワークの不可欠な礎だ。YahooはWeb1.0である場合は、Facebook/iMessage/Twitter/WhatsAppはWeb2.0のだ。次に、従来の通信ネットワークはTelecom1.0あり、社会的コミュニケーションネットワークする必要があり「電話名前解決システム」、Telecom2.0だ。
【００８４】
具体的なレイアウト、モード、操作、本発明の考え方によれば、本発明の保護の範囲内だ。交換及び上記の例の場所の転置、数量などを入力，本発明の保護の範囲内だ。
【００８５】
この分野の当業者は理解することができる：上記の説明は、本発明の好ましい実施例のみだ，しかし、本発明を限定するものではない。熟練した技術者は、技術的解決策、または交換いくつかの技術的特徴を変更することができる。精神及び本発明の原理内のあらゆる変更は、本発明の保護の範囲内だ。
【図１】
0006312795.tif 000007
【図２】
0006312795.tif 000008
【図３】
0006312795.tif 000009
【図４】
0006312795.tif 000010
【図５】
0006312795.tif 000011
【図６】
0006312795.tif 000012